(57)【特許請求の範囲】
【請求項１】
開口を有した有底筒状の容器本体と該容器本体の開口を形成する開口端面に接合して閉塞するシート状の蓋とを備えた蓋付容器において、
上記蓋を閉塞状態で上記容器本体に対して押さえる蓋押さえを備え、
該蓋押さえを、伸縮可能な弾性シート材料で形成し、平面から見て上記容器本体の開口外端縁で囲まれる面積よりも小さく且つ上記容器本体の開口外端縁に沿う外縁及び該外縁より内側にある内縁を有して形成するとともに、上記外縁側を該蓋の表面に固定し、
上記内縁を外縁側に伸長して反転して、該内縁を上記容器本体の開口側の外側面に被着することにより上記容器本体と蓋との接合部を被覆可能にしたことを特徴とする蓋付容器。
【請求項２】
上記弾性シート材料の厚さをＴとしたとき、Ｔ＝０．０１ｍｍ〜０．１ｍｍにしたことを特徴とする請求項１記載の蓋付容器。
【請求項３】
上記蓋押さえの上記容器本体の開口外端縁に沿う外縁側を、上記蓋に貼着したことを特徴とする請求項１または２記載の蓋付容器。
【請求項４】
上記蓋押さえを、貫通孔を有して形成し、該貫通孔の開口縁の全部もしくは一部を内縁として構成し、上記外縁を、上記容器本体の開口を形成する開口外縁と同形状に形成し、上記外縁から所定寸法内側であって該外縁と平行な内側線との間に形成される周面部を上記蓋に貼着したことを特徴とする請求項３記載の蓋付容器。
【請求項５】
上記内縁を、断面円弧状に形成したことを特徴とする請求項１乃至４何れか一項に記載の蓋付容器。
【請求項６】
上記内縁の最大幅をＬとしたとき、６ｍｍ≦Ｌにしたことを特徴とする請求項１乃至５
何れか一項に記載の蓋付容器。
【請求項７】
開口を有した有底筒状の容器本体と該容器本体の開口を形成する開口端面に接合して閉塞するシート状の蓋とを備えた蓋付容器の当該蓋を閉塞状態で上記容器本体に対して押さえる蓋付容器用蓋押さえにおいて、
平面から見て外縁部で囲まれる面積が上記容器本体の開口外端縁で囲まれる面積よりも小さい伸縮可能な円形の弾性シート材料で形成するとともに、中央に外縁部と同軸の円形の貫通孔を形成してリング状に形成し、
伸長時に上記外縁部が上記容器本体の開口側の外側面に被着され、上記貫通孔の開口縁で形成される内縁部が上記蓋の外側縁側の表面に被着されて、上記容器本体と蓋との接合部を被覆可能にしたことを特徴とする蓋付容器用蓋押さえ。
【請求項８】
上記外縁部及び内縁部を、断面円弧状に形成したことを特徴とする請求項７記載の蓋付容器。
【請求項９】
上記弾性シート材料の厚さをＴとしたとき、Ｔ＝０．０１ｍｍ〜０．１ｍｍにし、上記外縁部及び内縁部の円弧の直径をｄとしたとき、ｄ＝０．５ｍｍ〜３ｍｍにしたことを特徴とする請求項８記載の蓋付容器。
【請求項１０】
開口を有した有底筒状の容器本体と該容器本体の開口を形成する開口端面に接合して閉塞するシート状の蓋とを備えた蓋付容器の当該蓋を閉塞状態で上記容器本体に対して押さえる蓋付容器用蓋押さえにおいて、
両端に開口縁部を有して円筒状に形成されるとともに、上記容器本体の開口外端縁の周長よりも小さい周長を有し伸縮可能な弾性シート材料で形成し、
伸長時に上記開口縁部の何れか一方が上記容器本体の開口側の外側面に被着され、上記開口縁部の何れか他方が上記蓋の外側縁側の表面に被着されて、上記容器本体と蓋との接合部を被覆可能にしたことを特徴とする蓋付容器用蓋押さえ。
【請求項１１】
上記両端にある開口縁部を、夫々、断面円弧状に形成したことを特徴とする請求項１０記載の蓋付容器。
【請求項１２】
上記弾性シート材料の厚さをＴとしたとき、Ｔ＝０．０１ｍｍ〜０．１ｍｍにし、上記両端にある開口縁部の円弧の直径をｄとしたとき、ｄ＝０．５ｍｍ〜３ｍｍにしたことを特徴とする請求項１１記載の蓋付容器。
【発明の詳細な説明】
【技術分野】
【０００１】
本発明は、例えば即席麺等の食品等の収容物が予め収容された蓋付容器の開口をシート状の蓋で接合により閉塞した蓋付容器に係り、特に、シート状の蓋を一度容器本体から剥した後も蓋を閉じた状態に保持しておくことができる蓋付容器及び蓋付容器用蓋押さえに関する。
【背景技術】
【０００２】
一般に、蓋付容器として、例えば、収容物として食品である即席麺を収容した蓋付容器の場合で説明すると、この蓋付容器は、発泡スチロールなどの樹脂や紙などで形成された開口を有した有底筒状の容器本体と、容器本体の開口を形成する開口端面に接合して閉塞するシート状の蓋とを備えて構成されている。容器本体には、予め、即席麺が収容され、蓋は開口を形成する開口端面に接着剤やヒートシール等の手段により剥離可能に接着されている。
【０００３】
そして、収容された即席麺を食する場合には、外方に突出した蓋の摘み部を摘んで引き上げながら蓋を剥離して開口を部分開封し、この開口から湯を注ぎ入れて調理し、所用時間過ぎたならば食するようにしている。この場合、蓋が開いたままであると、熱が逃げて加温効率が悪いことから、調理中は、蓋を再び開口端面に接合し、摘み部を折るなどして容器本体に蓋を留めるようにする。しかしながら、摘み部を折る程度では、摘み部の左右の部分がどうしても開いてしまい、十分な保温ができない。
【０００４】
これを解決するために、従来においては、実開昭６１-１４７７５８号公報（特許文献１）、特許第５９３６２５３号公報（特許文献２）に掲載され、一度剥離した蓋を、容器本体にその開口を閉塞した状態でしっかりと保持する蓋押さえが提案されている。この蓋押さえは、弾性変形可能なプラスチックを容器本体の開口を形成する開口外側に嵌合するＣ字状に形成し、内側に蓋の外側縁を容器本体の開口端面に押し付ける溝を形成して構成されている。そして、上記の即席麺の場合では、湯を入れた後、蓋を再び開口端面に接合し、この状態で、蓋押さえを、容器本体の開口を形成する開口外側に嵌合し、蓋の外側縁を容器本体の開口端面に押し付けるようにしている。
【先行技術文献】
【特許文献】
【０００５】
【特許文献１】実開昭６１-１４７７５８号公報
【特許文献２】特許第５９３６２５３号公報
【発明の概要】
【発明が解決しようとする課題】
【０００６】
ところで、この従来の蓋押さえにあっては、もともと、蓋付容器には備えられていないものなので、別途これを用意するが、Ｃ字状のプラスチック製なので、嵩張ってしまい、取り扱いが不便になっているという問題があった。また、プラスチック製なので、容器本体や蓋との密着性が悪く、容器本体を持って移動しようとする際等に、液漏れが生じやすいという問題もある。
本発明は、この点に鑑みてなされたもので、嵩張ることのないようにして蓋押さえ機能を付与した蓋付容器を提供することを目的とする。また、嵩張ることのないようにした蓋付容器用蓋押さえを提供することを目的とする。
【課題を解決するための手段】
【０００７】
このような目的を達成するための本発明の蓋付容器は、開口を有した有底筒状の容器本体と該容器本体の開口を形成する開口端面に接合して閉塞するシート状の蓋とを備えた蓋付容器において、
上記蓋を閉塞状態で上記容器本体に対して押さえる蓋押さえを備え、
該蓋押さえを、伸縮可能な弾性シート材料で形成し、平面から見て上記容器本体の開口外端縁で囲まれる面積よりも小さく且つ上記容器本体の開口外端縁に沿う外縁及び該外縁より内側にある内縁を有して形成するとともに、上記外縁側を該蓋の表面に固定し、
上記内縁を外縁側に伸長して反転して、該内縁を上記容器本体の開口側の外側面に被着することにより上記容器本体と蓋との接合部を被覆可能にした構成としている。
【０００８】
蓋押さえの外縁は、容器本体の開口端縁の全周のうち少なくとも（１／２）周以上の開口端縁に対応した長さであることが望ましい。
これにより、蓋を開ける前は、蓋押さえは弾性シート材料で形成され、しかも、蓋の表面に固定されているので、嵩張ることがない。
そして、蓋を開けるときは、蓋の一部または全部を容器本体の開口を形成する開口端面から剥離する。この場合、蓋押さえは、弾性シート材料で形成され、しかも、蓋の表面に固定されているので、蓋に倣って撓んで同動するので、嵩張ることなく、従前どおり蓋を開けることができる。
【０００９】
そして、一度剥離した蓋を再び閉じるときは、蓋を容器本体の開口端面に接合し、この状態で、蓋押さえの内縁を外縁側に手で引っ張って伸長させて反転させるとともに、この内縁を容器本体の開口側の外側面に被着する。これにより、容器本体と蓋との接合部が蓋押さえによって被覆される。この場合、蓋押さえの内縁を手で引っ張って反転させるだけで良いので、作業を極めて簡単に行うことができる。この状態においては、蓋押さえの外縁側は蓋の表面に固定され、内縁が容器本体の開口側の外側面に被着されるので、また、蓋押さえは弾性シートで形成されているので、この弾性力により、容器本体や蓋との密着性が極めて良くなり、蓋を閉塞状態で容器本体に対して確実に押さえることができる。
【００１０】
特に、上記の即席麺を入れた蓋付容器の場合においては、湯を入れた後、蓋を再び開口端面に接合して、この状態で、蓋押さえを機能させるが、容器本体の開口端面と蓋との隙間があって、この隙間から、湯や蒸気が漏れ出ようとしても、蓋押さえは弾性シート状であり、容器本体の開口端面と蓋との隙間を覆うので、湯や蒸気が漏れ出ることが阻止され、保温性を確実に向上させることができる。また、例えば、コンビニエンスストア等で湯を入れた後、外に持ち出す移動の際等には、液漏れを確実に防止できるので、極めて有用になる。
【００１１】
再び、蓋を外すときは、蓋押さえの内縁を外方に手で引っ張って伸長させて、容器本体から外し、蓋を容器本体の開口を形成する開口端面から剥離すればよい。この場合も、蓋押さえは、弾性シート材料で形成され、しかも、蓋の表面に固定されているので、蓋に倣って撓んで同動するので、嵩張ることなく、従前どおり蓋を開けることができる。
【００１２】
そして、必要に応じ、上記弾性シート材料の厚さをＴとしたとき、Ｔ＝０．０１ｍｍ〜０．１ｍｍにした構成としている。薄いので、より一層嵩張りを防止することができる。
【００１３】
また、必要に応じ、上記蓋押さえの上記容器本体の開口外端縁に沿う外縁側を、上記蓋に貼着した構成としている。貼着は、接着剤や溶着等の止着手段によって行うことができる。これにより、負荷のかからない状態の弾性シートを貼着するだけで蓋押さえを蓋に取付けて付設できるので、製造を容易に行うことができる。
【００１４】
この場合、上記蓋押さえを、貫通孔を有して形成し、該貫通孔の開口縁の全部もしくは一部を内縁として構成し、上記外縁を、上記容器本体の開口を形成する開口外縁と同形状に形成し、上記外縁から所定寸法内側であって該外縁と平行な内側線との間に形成される周面部を上記蓋に貼着したことが有効である。外縁が容器本体の開口を形成する開口外端縁と同形状なので、均等に配置できる。貫通孔の開口縁の全部を内縁とした場合には、蓋の全周に亘って押さえを均一化して確実にすることができる。
【００１５】
更に、必要に応じ、上記内縁を、断面円弧状に形成した構成としている。一般部の厚さよりも太い断面の略円形にすることもできる。端末処理ができ、手で引っ張るときに裂けにくくなる。
【００１６】
更にまた、必要に応じ、上記貫通孔で形成される内縁の最大幅をＬとしたとき、６ｍｍ≦Ｌにした構成としている。貫通孔の形状は、例えば、矩形状，多角形状，円形状，楕円形状，星形形状等、適宜の形状に定めてよい。その場合、６ｍｍ≦Ｌにすれば、手を入れやすくすることができ、操作性を向上させることができる。望ましくは、３０ｍｍ≦Ｌである。
【００１７】
また、上記目的を達成するため、本発明の蓋付容器用蓋押さえは、開口を有した有底筒状の容器本体と該容器本体の開口を形成する開口端面に接合して閉塞するシート状の蓋とを備えた蓋付容器の当該蓋を閉塞状態で上記容器本体に対して押さえる蓋付容器用蓋押さえにおいて、
平面から見て外縁部で囲まれる面積が上記容器本体の開口外端縁で囲まれる面積よりも小さい伸縮可能な円形の弾性シート材料で形成するとともに、中央に外縁部と同軸の円形の貫通孔を形成してリング状に形成し、
伸長時に上記外縁部が上記容器本体の開口側の外側面に被着され、上記内縁部が上記蓋の外側縁側の表面に被着されて、上記容器本体と蓋との接合部を被覆可能にした構成としている。
【００１８】
即ち、本発明の蓋付容器用蓋押さえは、上記蓋付容器に付設する付設型のものと異なって、蓋付容器とは別体型のものである。装着時の位置関係でいえば、別体型の内縁部は上記の付設型の外縁に対応し、別体型の外縁部は付設型の内縁に対応する。但し、付設型の外縁側は蓋に固定されているのでその固定部分は伸縮しないが、別体型においては、外縁部及び内縁部ともに伸縮する。
【００１９】
詳しくは、これにより、蓋付容器用蓋押さえは、常時は蓋付容器と別々になっている。容器本体に嵌め込んでおくことは差支えない。この蓋付容器用蓋押さえは、弾性シート材料で形成されているので、嵩張ることがない。
【００２０】
そして、これを使用するときは、蓋付容器本体の蓋の一部または全部を開け、この一度剥離した蓋を再び閉じ、蓋を容器本体の開口端面に接合した際に用いる。この際には、蓋押さえの外縁部を手で引っ張って放射方向に伸長させて、容器本体の開口側の外側面に被着し、貫通孔で形成される内縁部を蓋の外側縁側の表面に被着する。この場合、内縁部も伸長する。これにより、容器本体と蓋との接合部が蓋押さえによって被覆される。この場合、蓋押さえの外縁部を手で引っ張って被せるようにするだけで良いので、作業を極めて簡単に行うことができる。この状態においては、蓋押さえの外縁部は容器本体の開口側の外側面に被着され、内縁部が蓋の外側縁側の表面に被着するので、また、蓋押さえは弾性シートで形成されているので、この弾性力により、蓋を閉塞状態で容器本体に対して確実に押さえることができる。
【００２１】
特に、上記の即席麺を入れた蓋付容器の場合においては、湯を入れた後、蓋を再び開口端面に接合して、この状態で、蓋押さえを機能させるが、容器本体の開口端面と蓋との隙間があって、この隙間から、湯や蒸気が漏れ出ようとしても、蓋押さえは弾性シート状であり、容器本体の開口端面と蓋との隙間を覆うので、湯や蒸気が漏れ出ることが阻止され、保温性を確実に向上させることができる。また、例えば、コンビニエンスストア等で湯を入れた後、外に持ち出す移動の際等には、液漏れを確実に防止できるので、極めて有用になる。
【００２２】
再び、蓋を外すときは、蓋押さえの外縁部を手で引っ張って放射方向に伸長させて、容器本体から外し、蓋を容器本体の開口を形成する開口端面から剥離すればよい。蓋からは蓋押さえがなくなるので、従前どおり蓋を開けることができる。
【００２３】
そして、必要に応じ、上記外縁部及び内縁部を、断面円弧状に形成した構成としている。一般部の厚さよりも太い断面の略円形にすることもできる。端末処理ができ、手で引っ張るときに裂けにくくなる。
【００２４】
この場合、上記弾性シート材料の厚さをＴとしたとき、Ｔ＝０．０１ｍｍ〜０．１ｍｍにし、上記外縁部及び内縁部の円弧の直径をｄとしたとき、ｄ＝０．５ｍｍ〜３ｍｍにしたことが有効である。
外縁部及び内縁部の強度が増すとともに、手で引っ張る際に引っ掛かり易くなり、操作性を向上させることができる。
【００２５】
更に、上記目的を達成するため、本発明の蓋付容器用蓋押さえは、開口を有した有底筒状の容器本体と該容器本体の開口を形成する開口端面に接合して閉塞するシート状の蓋とを備えた蓋付容器の当該蓋を閉塞状態で上記容器本体に対して押さえる蓋付容器用蓋押さえにおいて、
両端に開口縁部を有して円筒状に形成されるとともに、上記容器本体の開口外端縁の周長よりも小さい周長を有し伸縮可能な弾性シート材料で形成し、
伸長時に上記開口縁部の何れか一方が上記容器本体の開口側の外側面に被着され、上記開口縁部の何れか他方が上記蓋の外側縁側の表面に被着されて、上記容器本体と蓋との接合部を被覆可能にした構成としている。
【００２６】
即ち、この本発明の蓋付容器用蓋押さえも、上記と同様に、蓋付容器とは別体型のものであり、常時は蓋付容器と別々になっている。容器本体に嵌め込んでおくことは差支えない。この蓋付容器用蓋押さえは、弾性シート材料で形成されているので、嵩張ることがない。
【００２７】
そして、これを使用するときは、蓋付容器本体の蓋の一部または全部を開け、この一度剥離した蓋を再び閉じ、蓋を容器本体の開口端面に接合した際に用いる。この際には、蓋押さえを手で引っ張って放射方向に伸長させて、開口縁部の一方を容器本体の開口側の外側面に被着し、開口縁部の他方を蓋の外側縁側の表面に被着する。これにより、容器本体と蓋との接合部が蓋押さえによって被覆される。この場合、蓋押さえを手で引っ張って被せるようにするだけで良いので、作業を極めて簡単に行うことができる。この状態においては、蓋押さえの弾性力により、蓋を閉塞状態で容器本体に対して確実に押さえることができる。
【００２８】
特に、上記の即席麺を入れた蓋付容器の場合においては、湯を入れた後、蓋を再び開口端面に接合して、この状態で、蓋押さえを機能させるが、容器本体の開口端面と蓋との隙間があって、この隙間から、湯や蒸気が漏れ出ようとしても、蓋押さえは弾性シート状であり、容器本体の開口端面と蓋との隙間を覆うので、湯や蒸気が漏れ出ることが阻止され、保温性を確実に向上させることができる。また、例えば、コンビニエンスストア等で湯を入れた後、外に持ち出す移動の際等には、液漏れを確実に防止できるので、極めて有用になる。
【００２９】
再び、蓋を外すときは、蓋押さえを手で引っ張って放射方向に伸長させて、容器本体から外し、蓋を容器本体の開口を形成する開口端面から剥離すればよい。蓋からは蓋押さえがなくなるので、従前どおり蓋を開けることができる。
【００３０】
そして、必要に応じ、上記両端にある開口縁部を、夫々、断面円弧状に形成した構成としている。一般部の厚さよりも太い断面の略円形にすることもできる。端末処理ができ、手で引っ張るときに裂けにくくなる。
【００３１】
この場合、上記弾性シート材料の厚さをＴとしたとき、Ｔ＝０．０１ｍｍ〜０．１ｍｍにし、上記両端にある開口縁部の円弧の直径をｄとしたとき、ｄ＝０．５ｍｍ〜３ｍｍにしたことが有効である。
開口縁部の強度が増すとともに、手で引っ張る際に引っ掛かり易くなり、操作性を向上させることができる。
【発明の効果】
【００３２】
本発明によれば、嵩張ることのないようにして蓋押さえ機能を付与した蓋付容器を提供できる。また、嵩張ることのないようにした蓋付容器用蓋押さえを提供することができる。
【図面の簡単な説明】
【００３３】
【図１】本発明の実施の形態に係る蓋付容器を蓋を開ける前の状態で示す斜視図である。
【図２】本発明の実施の形態に係る蓋付容器において蓋を開けたときの状態を示す斜視図である。
【図３】本発明の実施の形態に係る蓋付容器において蓋押さえを使用したときの状態を示す斜視図である。
【図４】本発明の実施の形態に係る蓋付容器において蓋を開ける前の状態を示す要部断面図である。
【図５】本発明の実施の形態に係る蓋付容器において蓋押さえを使用したときの状態を示す要部断面図である。
【図６】本発明の実施の形態に係る蓋付容器において蓋押さえの貫通孔の形状を示す平面図である。
【図７】本発明の別の実施の形態に係る蓋付容器を蓋を開ける前の状態示す斜視図である。
【図８】本発明の別の実施の形態に係る蓋付容器において蓋押さえの形状を示す平面図である。
【図９】本発明の実施の形態に係る蓋付容器用蓋押さえを蓋付容器とともに示す斜視図である。
【図１０】本発明の実施の形態に係る蓋付容器用蓋押さえを使用したときの状態を示す要部断面図である。
【図１１】本発明の実施の形態に係る蓋付容器用蓋押さえの変形例を示す半断面斜視図である。
【図１２】本発明の別の実施の形態に係る蓋付容器用蓋押さえを蓋付容器とともに示す斜視図である。
【図１３】本発明の別の実施の形態に係る蓋付容器用蓋押さえを使用したときの状態を示す要部断面図である。
【図１４】本発明の実施の形態に係る蓋付容器において、蓋押さえの変形例（ａ）（ｂ）を示す平面図である。
【発明を実施するための形態】
【００３４】
以下、添付図面に基づいて、本発明の実施の形態に係る蓋付容器について詳細に説明する。
図１乃至図６に示すように、実施の形態に係る蓋付容器Ｃは、食品である即席麺を収容物Ｗとして収容した所謂カップ麺と言われるものである。この実施の形態に係る蓋付容器Ｃは、円形の開口２を有した有底筒状であって逆円錐台状の容器本体１と、容器本体１の開口２を形成する開口端面３に接合して閉塞するシート状の円形の蓋１０とを備えている。
【００３５】
容器本体１は、発泡スチロールなどの樹脂や紙などで形成され、開口縁には外側に突出したリング状のフランジ４が一体形成されており、このフランジ４の上面が開口端面３として構成されている。容器本体１には、予め、即席麺（収容物Ｗ）が収容されている。
【００３６】
また、蓋１０は、紙，樹脂あるいはこれらの複合体等でシート状に形成され、開口端面３に接着剤やヒートシール等の手段により剥離可能に接着されている。蓋１０には、蓋１０を剥離しやすくするための摘み部１１が一体に突出形成されている。
【００３７】
本蓋付容器Ｃには、蓋１０を閉塞状態で容器本体１に対して押さえる蓋押さえ３０が備えられている。この蓋押さえ３０は、伸縮可能な弾性シート材料で形成され、平面から見て容器本体１の開口外端縁６（フランジ４の外縁）で囲まれる面積よりも小さく且つ容器本体１の開口外端縁６に沿う外縁３２及び外縁３２より内側にある内縁３３を有して形成され、外縁３２側が蓋１０の表面に固定されている。蓋押さえ３０の貫通孔３１の開口縁の全部もしくは一部（実施の形態では全部）が内縁３３として構成されている。詳しくは、この蓋押さえ３０は、中央に容器本体１の開口２よりも小さい大きさの貫通孔３１を有した伸縮可能な弾性シート材料で形成されているとともに、蓋１０の外側縁１２より突出しないように外縁３２側を蓋１０の表面に固定してこの蓋１０に付設されている。これにより、蓋押さえ３０は、貫通孔３１の開口縁で形成される内縁３３が放射方向に伸長して反転させられて、内縁３３が容器本体１の開口２側の外側面５（フランジ４の下側の外側面５）に被着させられ、容器本体１と蓋１０との接合部を被覆可能に形成されている。
【００３８】
弾性シート材料としては、天然ゴム，合成ゴム，これらのラテックスを挙げることができる。合成ゴムとしては、例えば、ＥＰＤＭ（エチレンプロピレンジエンゴム），ポリイソプレンゴム，ポリブタジエンゴム，スチレン−ブタジエン共重合体ゴム，アクリロニトリル−ブタジエン共重合体ゴム，エチレン−プロピレン−ジエン共重合体ゴム，エチレン−プロピレン共重合体ゴム，ポリクロロプレンゴム，イソブチレン−イソプレン共重合体ゴム，シリコーンゴム，これらの混合物を挙げることができる。また、例えば、フェノール樹脂，メラミン樹脂，不飽和ポリエステル樹脂，エポキシ樹脂，珪素樹脂，ポリウレタン樹脂等を用いることができる。更に、ポリエチレン，ナイロン，ポリ塩化ビニル，ポリプロピレン，ポリエステル，ポリアミド等を用いることも可能である。また、蓋押さえ３０の厚さをＴとしたとき、Ｔ＝０．０１ｍｍ〜０．１ｍｍに設定されている。
【００３９】
より詳しくは、蓋押さえ３０の外縁３２は、容器本体１の開口２を形成する円形の開口外端縁６（フランジ４の外縁）と同形状の円形に形成されている。実施の形態では、蓋押さえ３０は、外径が蓋１０の外径と同じ円盤状に形成されており、蓋１０に面接触により付帯させられている。そして、外縁３２から所定寸法内側であって外縁３２と平行な内側線Ｑ（図６の二点鎖線）との間に形成される周面部３４が、蓋１０に接着剤や溶着等の止着手段により貼着されて蓋１０に固定されている。実施の形態では、周面部３４は、裏面側に形成されている。これにより、負荷のかからない状態の弾性シートを貼着するだけで蓋押さえ３０を蓋１０に取付けて付設できるので、製造を容易に行うことができる。
【００４０】
貫通孔３１は、円形の弾性シート材料の中央を外縁３２と同心の円形に刳り貫くとともに、刳り貫いた部分から外縁３２側に等角度関係で三角形状の複数の切込み３５を形成して構成されている。実施の形態では、切込み３５は３つ形成されている。図６に示すように、貫通孔３１で形成される内縁３３の最大幅をＬとしたとき、６ｍｍ≦Ｌにしている。望ましくは、３０ｍｍ≦Ｌである。また、貫通孔３１で形成される内縁３３は、断面円弧状に形成されている。
【００４１】
従って、この実施の形態に係る蓋付容器Ｃによれば、図１,図４及び図６に示すように、蓋１０を開ける前は、蓋押さえ３０は弾性シート材料で形成され、しかも、蓋１０の表面に固定されているので、嵩張ることがない。そのため、持ち運びなどの取り扱いは、従前どおり行うことができる。特に、弾性シート材料の厚さＴが、Ｔ＝０．０１ｍｍ〜０．１ｍｍなので、極めて薄く、そのため、より一層嵩張りを防止することができる。
【００４２】
即席麺を調理するときは、図２に示すように、先ず、蓋１０を開けて容器本体１に湯を注ぐ。蓋１０を開けるときは、摘み部１１を持って蓋１０を容器本体１の開口２を形成する開口端面３から剥離する。例えば、蓋１０の半分程度を剥離する。この場合、蓋押さえ３０は、弾性シート材料で形成され、しかも、蓋１０の表面に固定されているので、蓋１０に倣って撓んで同動するので、嵩張ることなく、従前どおり蓋１０を開けることができる。
【００４３】
それから、容器本体１に湯を入れた状態で所要時間置く。この際には、一度剥離した蓋１０を再び閉じ、実施の形態に係る蓋押さえ３０を機能させる。即ち、図３及び図５に示すように、蓋１０を容器本体１のフランジ４の開口端面３に接合し、この状態で、蓋押さえ３０の貫通孔３１で形成される内縁３３を手で引っ張って放射方向に伸長させて反転させるとともに、この内縁３３を容器本体１の開口２側の外側面５に被着する。この場合、内縁３３が断面円弧状に形成されているので、端末処理がしっかりしており、手で引っ張る際に裂けにくく、確実に伸長させることができる。また、内縁３３の最大幅Ｌが、６ｍｍ≦Ｌなので、手を入れやすくすることができ、操作性を向上させることができる。
【００４４】
これにより、容器本体１と蓋１０との接合部が蓋押さえ３０によって被覆される。この場合、蓋押さえ３０の貫通孔３１で形成される内縁３３を手で引っ張って反転させるだけで良いので、作業を極めて簡単に行うことができる。この状態においては、蓋押さえ３０の外縁３２側は蓋１０の表面に固定され、内縁３３が容器本体１の開口２側の外側面５に被着されるので、また、蓋押さえ３０は弾性シートで形成されているので、この弾性力により、蓋１０を閉塞状態で容器本体１に対して確実に押さえることができる。このため、容器本体１や蓋１０との密着性が極めて良くなり、容器本体１の開口端面３と蓋１０との隙間を確実に塞ぐことができる。特に、外縁３２が容器本体１の開口２を形成する開口外端縁６と同形状であり、外縁３２から所定寸法内側であって外縁３２と平行な内側線Ｑとの間に形成される周面部３４を蓋１０に貼着しているので、蓋押さえ３０が均等に配置されるとともに、蓋１０の全周に亘って押さえを均一化して確実にすることができる。
【００４５】
このため、即席麺を入れた蓋付容器Ｃの場合においては、容器本体１の開口端面３と蓋１０との隙間があって、この隙間から、湯や蒸気が漏れ出ようとしても、湯や蒸気が漏れ出ることが阻止され、保温性を確実に向上させることができる。また、容器本体１や蓋１０との密着性が極めて良くなり、容器本体１を持って移動しようとする際等に、液漏れを確実に防止できる。例えば、コンビニエンスストア等で湯を入れた後、外に持ち出す移動の際等には、液漏れを確実に防止できるので、極めて有用になる。
【００４６】
そして、収容された即席麺を食する場合には、蓋１０を外す。この場合、蓋押さえ３０の貫通孔３１で形成される内縁３３を手で引っ張って放射方向に伸長させて、容器本体１から外し、蓋１０を容器本体１の開口２を形成するフランジ４の開口端面３から剥離すればよい。この場合も、蓋押さえ３０は、弾性シート材料で形成され、しかも、蓋１０の表面に固定されているので、蓋１０に倣って撓んで同動するので、嵩張ることなく、従前どおり蓋１０を開けることができる。
【００４７】
図７及び図８には、本発明の別の実施の形態に係る蓋付容器Ｃを示している。この蓋付容器Ｃは、上記と容器本体１の構成は同じであるが、蓋押さえ３０の構造が異なっている。この蓋押さえ３０は、伸縮可能な上記と同様の材質の弾性シート材料で形成され、平面から見て容器本体１の開口外端縁６（フランジ４の外縁）で囲まれる面積よりも小さく且つ容器本体１の開口外端縁６に沿う外縁３２及び外縁３２より内側にある内縁３３を有して形成され、外縁３２側が蓋１０の表面に固定されている。蓋押さえ３０の一部が内縁３３として構成されている。実施の形態では、この蓋押さえ３０は蓋１０の摘み部１１のある側の略半分を覆う形状に形成されており、蓋押さえ３０の外縁３２は、容器本体１の開口端縁６の全周のうち少なくとも（１／２）周以上の開口端縁６に対応した長さになっている。また、平面から見て摘み部１１を通る中心線Ｐに対して左右対称形状に形成されており、中心線Ｐを通る幅Ｍは、容器本体１の開口端縁６の半径の（２／３）以上の寸法に形成されている。
【００４８】
より詳しくは、蓋押さえ３０の外縁３２は、容器本体１の開口２を形成する円形の開口外端縁６（フランジ４の外縁）と同形状の円弧に形成されている。外縁３２から所定寸法内側であって外縁３２と平行な内側線Ｑ（図８の二点鎖線）との間に形成される周面部３４が、蓋１０に接着剤や溶着等の止着手段により貼着されて蓋１０に固定されている。実施の形態では、周面部３４は、裏面側に形成されている。これにより、負荷のかからない状態の弾性シートを貼着するだけで蓋押さえ３０を蓋１０に取付けて付設できるので、製造を容易に行うことができる。
【００４９】
内縁３３には、手で掴むことのできる取手３６が左右対称に一対突出形成されている。これにより、蓋押さえ３０は、内縁３３が外縁３２側に伸長して反転させられて、内縁３３が容器本体１の開口２側の外側面５（フランジ４の下側の外側面５）に被着させられ、容器本体１と蓋１０との接合部を被覆可能に形成されている。従って、この別の実施の形態に係る蓋付容器Ｃによっても、上記と同様の作用，効果を奏する。
【００５０】
次に、図９及び図１０に示すように、本発明の実施の形態に係る蓋付容器用蓋押さえ４０について説明する。尚、上記と同様のものには同一の符号を付して説明する。この蓋押さえ４０は、上記と同様の開口２を有した有底筒状の容器本体１と、容器本体１の開口２を形成する開口端面３に接合して閉塞するシート状の蓋１０とを備えた従前の蓋付容器Ｃａに用いられ、この蓋付容器Ｃａの蓋１０を閉塞状態で容器本体１に対して押さえるものである。この蓋付容器Ｃａの容器本体１及び蓋１０は上記と同様の構成なので詳細な説明は省略する。
【００５１】
この蓋押さえ４０は、伸縮可能な円形の弾性シート材料で形成され、中央に容器本体１の開口２よりも小さい大きさの円形の貫通孔４１が形成され、外縁部４２と貫通孔４１で形成される同心の内縁部４３とを有し、平面から見て、外縁部４２によって囲まれる面積が、容器本体１の開口２を形成する開口外端６で囲まれる面積よりも小さくなるリング状に形成されている。これにより、伸長時に外縁部４２が容器本体１の開口２側の外側面５に被着され、内縁部４３が蓋１０の外側縁１２側の表面に被着されて、容器本体１と蓋１０との接合部を被覆可能にしている。弾性シート材料としては、上記と同様の材質のものを用いることができる。弾性シート材料の厚さＴは、上記と同様に、Ｔ＝０．０１ｍｍ〜０．１ｍｍに設定されている。外縁部４２及び貫通孔４１で形成される内縁部４３は、断面円弧状に形成されている。
【００５２】
即ち、本発明の蓋付容器用蓋押さえ４０は、上記の蓋付容器Ｃに付設する付設型のものと異なって、蓋付容器Ｃａとは別体型のものである。装着時の位置関係でいえば、別体型の内縁部４３は付設型の外縁３２に対応し、別体型の外縁部４２は付設型の内縁部４３に対応する。但し、付設型の外縁３２側は蓋１０に固定されているので伸縮しないが、別体型においては、外縁部４２及び内縁部４３ともに伸縮する。
【００５３】
従って、この蓋付容器用蓋押さえ４０は、常時は蓋付容器Ｃａと別々になっている。容器本体１に嵌め込んでおくことは差支えない。この蓋付容器用蓋押さえ４０は、弾性シート材料で形成されているので、嵩張ることがない。そのため、持ち運びが容易になる。
【００５４】
そして、これを使用するときは、例えば、蓋付容器Ｃａが、収容物Ｗとして食品である即席麺を収容した所謂カップ麺と言われる容器に使用する場合で説明すると、以下のようになる。蓋付容器Ｃａにおいては、上記と同様に、容器本体１の蓋１０を開け、この一度剥離した蓋１０を再び閉じ、蓋１０を容器本体１の開口端面３に接合する。この際に、図１０に示すように、蓋押さえ４０を用い、この蓋押さえ４０の外縁部４２を手で引っ張って放射方向に伸長させて、容器本体１の開口２側の外側面５に被着し、貫通孔４１で形成される内縁部４３を蓋１０の外側縁１２側の表面に被着する。この場合、内縁部４３も伸長する。これにより、容器本体１と蓋１０との接合部が蓋押さえ４０によって被覆される。
【００５５】
この場合、蓋押さえ４０の外縁部４２を手で引っ張って被せるようにするだけで良いので、作業を極めて簡単に行うことができる。この状態においては、蓋押さえ４０の外縁部４２は容器本体１の開口２側の外側面５に被着され、内縁部４３が蓋１０の外側縁１２側の表面に被着するので、また、蓋押さえ４０は弾性シートで形成されているので、この弾性力により、蓋１０を閉塞状態で容器本体１に対して確実に押さえることができる。
【００５６】
このため、即席麺を入れた蓋付容器Ｃａの場合においては、湯を入れた後、蓋１０を再び開口端面３に接合して、この状態で、蓋押さえ４０を機能させるが、容器本体１の開口端面３と蓋１０との隙間があって、この隙間から、湯や蒸気が漏れ出ようとしても、湯や蒸気が漏れ出ることが阻止され、保温性を確実に向上させることができる。また、容器本体１や蓋１０との密着性が極めて良くなり、容器本体１を持って移動しようとする際等に、液漏れを確実に防止できる。例えば、コンビニエンスストア等で湯を入れた後、外に持ち出す移動の際等には、液漏れを確実に防止できるので、極めて有用になる。
【００５７】
再び、蓋１０を外すときは、蓋押さえ４０の外縁部４２を手で引っ張って放射方向に伸長させて、容器本体１から外し、蓋１０を容器本体１の開口２を形成する開口端面３から剥離すればよい。蓋１０からは蓋押さえ４０がなくなるので、従前どおり蓋１０を開けることができる。
【００５８】
図１１には、本発明の実施の形態に係る蓋付容器用蓋押さえ４０の変形例を示す。これは、外縁部４２及び内縁部４３を、断面円弧状に形成するとともに、弾性シート材料の厚さＴを、Ｔ＝０．０１ｍｍ〜０．１ｍｍにし、外縁部４２及び内縁部４３の円弧の直径ｄを、ｄ＝０．５ｍｍ〜３ｍｍにしている。外縁部４２及び内縁部４３の強度が増すとともに、手で引っ張る際に引っ掛かり易くなり、操作性を向上させることができる。
【００５９】
次にまた、図１２及び図１３に示すように、本発明の別の実施の形態に係る蓋付容器用蓋押さえ５０について説明する。尚、上記と同様のものには同一の符号を付して説明する。この蓋押さえ５０は、上記と同様に従前の蓋付容器Ｃａに用いられ、この蓋付容器Ｃａの蓋１０を閉塞状態で容器本体１に対して押さえるものである。この蓋付容器Ｃａの容器本体１及び蓋１０は上記と同様の構成なので詳細な説明は省略する。
【００６０】
蓋押さえ５０は、両端に開口縁部５１，５２を有して円筒状に形成されるとともに、容器本体１の開口外端縁６の周長よりも小さい周長を有した伸縮可能な弾性シート材料で形成されており、伸長時に開口縁部５１，５２の何れか一方が容器本体１の開口２側の外側面５に被着され、開口縁部５１，５２の何れか他方が蓋１０の外側縁１２側の表面に被着されて、容器本体１と蓋１０との接合部を被覆可能に構成されている。また、両端にある開口縁部５１，５２は、夫々、断面円弧状に形成されている。一般部の厚さよりも太い断面の略円形にすることもできる。実施の形態では、弾性シート材料の厚さをＴとしたとき、Ｔ＝０．０１ｍｍ〜０．１ｍｍに設定され、両端にある開口縁部５１，５２の円弧の直径をｄとしたとき、ｄ＝０．５ｍｍ〜３ｍｍに設定されている。
【００６１】
即ち、この蓋押さえ５０も、上記と同様に、蓋付容器Ｃａとは別体型のものであり、常時は蓋付容器Ｃａと別々になっている。容器本体１に嵌め込んでおくことは差支えない。この蓋付容器用蓋押さえ５０は、弾性シート材料で形成されているので、嵩張ることがない。そのため、持ち運びが容易になる。
【００６２】
従って、この蓋押さえ５０を使用するときは、例えば、蓋付容器Ｃａが、収容物Ｗとして食品である即席麺を収容した所謂カップ麺と言われる容器に使用する場合で説明すると、以下のようになる。蓋付容器Ｃａにおいては、上記と同様に、容器本体１の蓋１０を開け、この一度剥離した蓋１０を再び閉じ、蓋１０を容器本体１の開口端面３に接合する。この際に、図１３に示すように、蓋押さえ５０を用い、この蓋押さえ５０を手で引っ張って放射方向に伸長させて、開口縁部５１，５２の一方を容器本体１の開口２側の外側面５に被着し、開口縁部５１，５２の他方を蓋１０の外側縁１２側の表面に被着する。
【００６３】
この場合、蓋押さえ５０を手で引っ張って被せるようにするだけで良いので、作業を極めて簡単に行うことができる。また、この場合、開口縁部５１，５２は、一般部の厚さよりも太い断面になっているので、開口縁部５１，５２の強度が増すとともに、手で引っ張る際に引っ掛かり易くなり、操作性を向上させることができる。
【００６４】
この状態においては、蓋押さえ５０の弾性力により、蓋１０を閉塞状態で容器本体１に対して確実に押さえることができる。このため、即席麺を入れた蓋付容器Ｃａの場合においては、湯を入れた後、蓋１０を再び開口端面３に接合して、この状態で、蓋押さえ５０を機能させるが、容器本体１の開口端面３と蓋１０との隙間があって、この隙間から、湯や蒸気が漏れ出ようとしても、湯や蒸気が漏れ出ることが阻止され、保温性を確実に向上させることができる。また、容器本体１や蓋１０との密着性が極めて良くなり、容器本体１を持って移動しようとする際等に、液漏れを確実に防止できる。例えば、コンビニエンスストア等で湯を入れた後、外に持ち出す移動の際等には、液漏れを確実に防止できるので、極めて有用になる。
【００６５】
再び、蓋１０を外すときは、蓋押さえ５０を手で引っ張って放射方向に伸長させて、容器本体１から外し、蓋１０を容器本体１の開口２を形成する開口端面３から剥離すればよい。蓋１０からは蓋押さえ５０がなくなるので、従前どおり蓋１０を開けることができる。
【００６６】
尚、上記実施の形態に係る蓋付容器Ｃおいて、貫通孔３１の形状は、上述したものに限定されるものではなく、例えば、図１４（ａ）に示すように、楕円形状に形成するなど、どのような形状に形成してもよい。また、図１４（ｂ）に示すように、貫通孔３１を偏心して設け、蓋押さえを３０の貫通孔３１の開口縁の一部（実施の形態では蓋の摘み部１１側の略半分）が内縁３３として構成するようにしてもよく、適宜変更して差支えない。更に、蓋押さえ３０の外径は、蓋１０の外径よりも多少小さくてもよい。
【００６７】
また、上記容器本体１及び蓋１０の形状は上述したものに限定されるものではなく、例えば、矩形状に形成されていてもよい。更に、上記実施の形態に係る蓋付容器Ｃ及び蓋付容器Ｃａは、即席麺を収容物Ｗとして収容するもので説明したが、必ずしもこれに限定されるものではなく、種々の食品はもとより、食品以外の収容物を収容するものであってもよいことは勿論である。本発明は、上述した本発明の実施の形態に限定されず、当業者は、本発明の新規な教示及び効果から実質的に離れることなく、これら例示である実施の形態に多くの変更を加えることが容易であり、これらの多くの変更は本発明の範囲に含まれる。
【符号の説明】
【００６８】
Ｃ  蓋付容器
Ｗ  収容物
１  容器本体
２  開口
３  開口端面
４  フランジ
５  外側面
６  開口外端縁
１０  蓋
１１  摘み部
１２  外側縁
３０  蓋押さえ
３１  貫通孔
３２  外縁
３３  内縁
Ｑ  内側線
３４  周面部
３５  切込み
３６  取手
Ｃａ  蓋付容器
４０  蓋押さえ
４１  貫通孔
４２  外縁部
４３  内縁部
５０  蓋押さえ
５１，５２  開口縁部
【図１】
0006971504.tif 000002
【図２】
0006971504.tif 000003
【図３】
0006971504.tif 000004
【図４】
0006971504.tif 000005
【図５】
0006971504.tif 000006
【図６】
0006971504.tif 000007
【図７】
0006971504.tif 000008
【図８】
0006971504.tif 000009
【図９】
0006971504.tif 000010
【図１０】
0006971504.tif 000011
【図１１】
0006971504.tif 000012
【図１２】
0006971504.tif 000013
【図１３】
0006971504.tif 000014
【図１４】
0006971504.tif 000015